(57)【要約】【課題】スクリュ軸に同軸配置させたリングタイプロードセルの脱着が容易な２プレート式射出装置を提供する。【解決手段】スクリュ４の後端部を脱着可能に収納するスクリュ軸収納部４２と、スクリュ軸収納部４２の後方に連続して構成される回転支持軸部４３とを有するスクリュ回転支持軸４４と、スクリュ回転支持軸４４を移動プレート３に対して回転可能に支持する回転支持部材４５と、を備え、スクリュ回転支持軸４４及び回転支持部材４５、移動プレート３を前後に貫通する回転支持部材収納貫通孔４６に収納されると共に、移動プレート３の後方の、回転支持部材収納貫通孔４６の開口部に、回転支持部材収納貫通孔４６内における、回転支持部材４５の、スクリュ４の軸方向の移動を抑制するリテーナが配置され、リテーナがリングタイプロードセル４７として構成されることを特徴とする２プレート式射出装置によって達成される。【選択図】図１
2020037225.tif 000002
【特許請求の範囲】
【請求項１】
固定プレートと、該固定プレートの前方に配置されるシリンダバレルと、該固定プレートの後方において、該固定プレートに対して進退可能に設けられた移動プレートと、該移動プレートを前記固定プレートに対して進退させる一対のボールねじ機構と、該一対のボールねじ機構を駆動する射出モータと、軸を中心として回転可能な状態で前記移動プレートに支持されたスクリュと、該スクリュを回転させる計量モータとを備え、前記移動プレートを前記固定プレートに対して進退させることで前記スクリュが前記シリンダバレル内を進退可能な２プレート式射出装置であって、
前記スクリュの後端部を脱着可能に収納するスクリュ軸収納部と、該スクリュ軸収納部の後方に連続して該スクリュ軸収納部の外径よりも小径に構成される回転支持軸部とを有するスクリュ回転支持軸と、
前記スクリュ回転支持軸を前記移動プレートに対して回転可能に支持する回転支持部材と、を備え、
前記スクリュ回転支持軸及び前記回転支持部材が、前記移動プレートを前後に貫通する回転支持部材収納貫通孔に収納されると共に、
前記移動プレートの後方の、前記回転支持部材収納貫通孔の開口部に、前記回転支持部材収納貫通孔内における、前記回転支持部材の、前記スクリュの軸方向の移動を抑制するリテーナが配置され、
該リテーナがリングタイプロードセルとして構成される
ことを特徴とする２プレート式射出装置。
【請求項２】
前記回転支持部材が、前記スクリュ回転支持軸の軸方向に連続して配置される、スラストベアリング及びラジアルベアリングの組み合わせで構成され、該スラストベアリング及び該ラジアルベアリングの外径が同径である
ことを特徴とする請求項１に記載の２プレート式射出装置。
【発明の詳細な説明】
【技術分野】
【０００１】
本発明は、射出成形に用いられる２プレート式射出装置に関する。
【背景技術】
【０００２】
射出成形機のインラインスクリュ式射出装置は、固定プレートと、該固定プレートに対して進退可能に設けられた移動プレートと、軸を中心として回転可能な状態で移動プレートに支持されたスクリュと、該スクリュが回転可能に、且つ、軸方向に進退可能に収納されるシリンダバレルとを備え、移動プレートを固定プレートに対して進退させることで、スクリュがシリンダバレル内で回転可能、且つ、進退可能な射出装置である。
【０００３】
上記のようなインラインスクリュ式射出装置は、固定プレートに対して移動プレートを進退可能にする構成により、大きく２つに分類される。１つは、特許文献１に開示されているような２プレート式射出装置である。この２プレート式射出装置は、固定プレート（固定フレーム）に対して移動プレート（移動フレーム）を進退させるための駆動手段（電動モータ等）と、スクリュを回転させる駆動手段（電動モータ等）と、を備え、固定プレート及び移動プレート間にボールねじ機構等の移動プレート進退機構を配置させる構成が主流である。
【０００４】
もう１つは、特許文献２に開示されているような３プレート式射出装置である。この３プレート式射出装置は、固定プレート（フロントプレート）及びリアプレートがタイバー（タイロッド）等、複数の連結部材で連結され、両プレート間に進退可能に配置された移動プレート（プレッシャプレート）が、固定プレート（又は移動プレート）及びリアプレート間に配置されるボールねじ機構等の移動プレート進退機構により、固定プレートに対して移動プレートを進退させる構成が主流である。
【０００５】
前者の２プレート式射出装置は、リアプレートが不要で、移動プレート進退機構が固定プレート及び移動プレート間に配置されるため、後者の３プレート式射出装置に対して、射出装置全長が短く構成できる。そのため、小型の射出装置や、射出成形機の設置スペースに制約がある場合等に採用される。一方、特に射出装置の大きさの制約や、設置スペースに上記のような制約がない場合は３プレート式射出装置が採用されることが多い。
【０００６】
そして、インラインスクリュ式射出装置では、２プレート式、３プレート式によらず、射出装置後方のホッパー等、樹脂材料供給部から供給された樹脂材料（ペレット状）を、スクリュを回転させてシリンダバレル先端（前方）の貯留部に流動させる間に溶融（可塑化）させ、１回の射出充填工程に必要な溶融樹脂を貯留部に貯留させる計量工程が行われる。この計量工程においては、貯留部の溶融樹脂に所定の圧力（背圧）を付与させる。
【０００７】
計量工程完了後、貯留部に貯留させた溶融樹脂を、スクリュを前進させて一気に金型内に充填させる射出充填工程が行われる。これら計量工程における背圧や、射出充填工程における射出圧力を制御するために、スクリュの回転軸や移動プレート進退機構の構成部材に作用するスクリュの軸方向の力を、貯留部の溶融樹脂圧力として計測する樹脂圧力計測手段が配置される。
【０００８】
固定プレートに対して移動プレートを進退させる駆動手段や、スクリュを回転させる駆動手段がサーボモータである場合、サーボモータが備えるトルク計測・制御機能を利用して、先の樹脂圧力計測手段の代替とすることも可能である。一方、スクリュの回転軸や移動プレート進退機構の構成部材に作用するスクリュの軸方向の力を直接計測する樹脂圧力計測手段の方が、より正確に貯留部の溶融樹脂圧力を計測することができるとされている。
【０００９】
例えば、特許文献１の２プレート式射出装置及び特許文献２の３プレート式射出装置は共に、移動プレート進退機構としてボールねじ機構が採用されている。そして、特許文献１の２プレート式射出装置には、該ボールねじ機構のボールねじナットが、樹脂圧力計測手段であるロードセルを介して移動プレートに支持される形態が開示されている（特許文献１／図３、４）。また、特許文献２の３プレート式射出装置には、スクリュ軸（スクリュスリーブ／符号１１）を支持するスラストベアリング（符号１６）のベアリングリテーナ（符号１９）に、樹脂圧力計測手段である歪検出器（歪ゲージ／符号２６）が貼着される形態が開示されている（特許文献２／図１）。
【先行技術文献】
【特許文献】
【００１０】
【特許文献１】特開２０００−１０８１７５号公報
【特許文献２】特開昭６２−０９７８１８号公報
【発明の概要】
【発明が解決しようとする課題】
【００１１】
圧力計測手段として採用されるロードセルは、ロードセル自体の受圧方向の弾性変形量を、内蔵した歪みゲージ等の歪み計測手段により計測する構成が一般的である。受圧方向として、圧縮型、引張型、両兼用型等があり、ロードセルが配置される個所で計測する圧力及びその作用方向により適宜選択される。一方、射出装置の樹脂圧力計測手段として採用されるロードセルは、特許文献１のような装着個所を鑑み、円盤状で且つ中央部分に厚み方向に貫通する開口を備える形状で、受圧方向が同円盤状の厚み方向となる形態のものが多い。これら形状をリングあるいはワッシャー等と呼称するが、本願においてはリングタイプロードセルと呼称するものとする。
【００１２】
特許文献１の２プレート式射出装置（特許文献１／図３、４）では、ボールねじ軸と組み合わされるボールねじナットが、移動プレートの後方に固定されたリングタイプロードセルを介して、後方に突出するように移動プレートに支持される。例えば、固定プレート側で射出モータによりボールねじ軸を回転させ、移動プレート（スクリュ）及びボールねじナットを前進、あるいは後退させると、ボールねじナットに螺合するボールネジ軸は、リングタイプロードセルの開口部を貫通した状態で回転するため、移動プレートの前進・後退の支障にはならない。計量工程や射出充填工程における貯留部の溶融樹脂圧力は、スクリュ、移動プレート及びボールねじナットを介して、移動プレートに固定されたリングタイプロードセルに作用するため、これを計測する。
【００１３】
また、特許文献２の３プレート式射出装置（特許文献２／図１）では、スクリュ軸（スクリュスリーブ／符号１１）を支持するスラストベアリング（符号１６）のベアリングリテーナ（符号１９）の環状中間壁の外周面に、樹脂圧力計測手段である歪検出器（歪ゲージ／符号２６）が貼着される。例えば、リアプレート側で射出用のサーボモータ（射出モータ）によりボールねじ軸を回転させ、プレッシャプレート（スクリュ／符号２）を前進、あるいは後退させると、貯留部の溶融樹脂圧力は、スクリュ、スクリュースリーブ（符号１１）を介してベアリングリテーナに作用して同ベアリングリテーナを歪するため、同ベアリングリテーナの環状中間壁の外周面に貼着された歪検出器（歪ゲージ）によりこれを計測する（特許文献２／明細書３ページ右上）。
【００１４】
特許文献１の２プレート式射出装置においては、上記のようなリングタイプロードセルの配置により、ボールねじ軸からボールねじナットを取り外すことなく、リングタイプロードセルを移動プレートの後方から取り外すことが出来ない。一般的に、ボールねじ軸からボールねじナットをそのまま取り外すと、ボールねじナット内のボールが脱落して使用出来なくなる。そのため、ボールねじ軸からボールねじナットを取り外す場合は、専用の取り外し治具（仮軸やスリーブ等）が必要とされている。すなわち、特許文献１の２プレート式射出装置において、リングタイプロードセルを移動プレートの後方から取り外したり、新たに取り付けたりする場合、専用の取り外し治具を使用して、ボールねじ軸からボールねじナットを取り外すか、ボールねじ軸及びボールねじナットからなるボールねじ機構一式を射出装置から取り外す必要がある。その結果、メンテナンスや故障による交換のため、リングタイプロードセルを射出装置に対して脱着する場合に手間と時間を要するという問題がある。
【００１５】
一方、特許文献２の３プレート式射出装置においても、ベアリングリテーナをプレッシャプレートから取り外すことなく、歪検出器（歪ゲージ）を取り外すことが出来ない。
【００１６】
本発明は、上記したような問題点に鑑みてなされたもので、スクリュ軸に同軸配置させたリングタイプロードセルの脱着が容易な２プレート式射出装置を提供することを目的とする。
【課題を解決するための手段】
【００１７】
本発明の上記目的は、固定プレートと、該固定プレートの前方に配置されるシリンダバレルと、該固定プレートの後方において、該固定プレートに対して進退可能に設けられた移動プレートと、該移動プレートを前記固定プレートに対して進退させる一対のボールねじ機構と、該一対のボールねじ機構を駆動する射出モータと、軸を中心として回転可能な状態で前記移動プレートに支持されたスクリュと、該スクリュを回転させる計量モータとを備え、前記移動プレートを前記固定プレートに対して進退させることで前記スクリュが前記シリンダバレル内を進退可能な２プレート式射出装置であって、
前記スクリュの後端部を脱着可能に収納するスクリュ軸収納部と、該スクリュ軸収納部の後方に連続して該スクリュ軸収納部の外径よりも小径に構成される回転支持軸部とを有するスクリュ回転支持軸と、
前記スクリュ回転支持軸を前記移動プレートに対して回転可能に支持する回転支持部材と、を備え、
前記スクリュ回転支持軸及び前記回転支持部材が、前記移動プレートを前後に貫通する回転支持部材収納貫通孔に収納されると共に、
前記移動プレートの後方の、前記回転支持部材収納貫通孔の開口部に、前記回転支持部材収納貫通孔内における、前記回転支持部材の、前記スクリュの軸方向の移動を抑制するリテーナが配置され、
該リテーナがリングタイプロードセルとして構成されることを特徴とする２プレート式射出装置によって達成される。
【００１８】
このような２プレート式射出装置は、前記回転支持部材が、前記スクリュ回転支持軸の軸方向に連続して配置される、スラストベアリング及びラジアルベアリングの組み合わせで構成され、該スラストベアリング及び該ラジアルベアリングの外径が同径であることが好ましい。
【発明の効果】
【００１９】
本発明に係る２プレート式射出装置は、固定プレートと、該固定プレートの前方に配置されるシリンダバレルと、該固定プレートの後方において、該固定プレートに対して進退可能に設けられた移動プレートと、該移動プレートを前記固定プレートに対して進退させる一対のボールねじ機構と、該一対のボールねじ機構を駆動する射出モータと、軸を中心として回転可能な状態で前記移動プレートに支持されたスクリュと、該スクリュを回転させる計量モータとを備え、前記移動プレートを前記固定プレートに対して進退させることで前記スクリュが前記シリンダバレル内を進退可能な２プレート式射出装置であって、
前記スクリュの後端部を脱着可能に収納するスクリュ軸収納部と、該スクリュ軸収納部の後方に連続して該スクリュ軸収納部の外径よりも小径に構成される回転支持軸部とを有するスクリュ回転支持軸と、
前記スクリュ回転支持軸を前記移動プレートに対して回転可能に支持する回転支持部材と、を備え、
前記スクリュ回転支持軸及び前記回転支持部材が、前記移動プレートを前後に貫通する回転支持部材収納貫通孔に収納されると共に、
前記移動プレートの後方の、前記回転支持部材収納貫通孔の開口部に、前記回転支持部材収納貫通孔内における、前記回転支持部材の、前記スクリュの軸方向の移動を抑制するリテーナが配置され、
該リテーナがリングタイプロードセルとして構成されるため、スクリュ軸に同軸配置させたリングタイプロードセルの脱着が容易である。
【図面の簡単な説明】
【００２０】
【図１】第１実施形態に係る２プレート式射出装置の概略平面図である。
【図２】図１の要部Ａの詳細図である。
【発明を実施するための形態】
【００２１】
以下、本発明を実施するための形態について、添付図面を参照しながら詳細に説明する。
【００２２】
［第１実施形態］
図１及び図２を参照しながら本発明の第１実施形態に係る２プレート式射出装置を説明する。図１は、第１実施形態に係る２プレート式射出装置の概略平面図（一部断面を含む）であり、後述するスクリュ４及び移動プレート３が後退限位置（計量完了位置）にある状態を示す。また、図１中に、２点鎖線にて、前進限位置（射出完了位置）にあるスクリュ４及び移動プレート３の一部を図示している。図１の左側を前方、右側を後方、図１の手前を上方とする。尚、図１は平面図と呼称しているが、本発明の第１実施形態に係る２プレート式射出装置の構成の説明に好適な図示を平面図と呼称したものであって、本発明に係る２プレート式射出装置の射出成形機への取付姿勢を基準に平面図と呼称するものではない。本発明に係る２プレート式射出装置は、スクリュが回転される軸方向を基準に、射出成形機に対して、垂直、水平あるいはそれ以外の様々な角度となる取付姿勢で取り付けられても良い。図２は図１の要部Ａの詳細図である。
【００２３】
図１に示すように、本発明の第１実施形態に係る２プレート式射出装置１０は、固定プレート２と、固定プレート２の前方に配置されるシリンダバレル１１と、固定プレート２の後方において、固定プレート２に対して進退可能に設けられた移動プレート３と、移動プレート３を固定プレート２に対して進退させる一対のボールねじ機構２０、２１と、一対のボールねじ機構２０、２１を駆動する射出モータ３１、３２と、軸を中心として回転可能な状態で移動プレート３に支持されたスクリュ４と、スクリュ４を回転させる計量モータ４１と、を備えている。
【００２４】
尚、移動プレート３を固定プレート２に対して進退させる際のガイド機構については、ベース部材に配置される直動ガイドや、固定プレートから後方に立設させるガイドロッド等、公知のガイド機構が採用されれば良い。図を簡単にするため、このようなベース部材やガイド機構の図視は省略している。
【００２５】
そして、一対のボールねじ機構２０、２１のボールねじ軸２０ａ、２１ａが、それぞれ、ボールねじ軸回転支持部２４により固定プレート２に回転可能に支持され、ボールねじ軸２０ａ、２１ａと組み合わされるボールねじナット２０ｂ、２１ｂが、それぞれ、移動プレート３に回転不能に配置される。
【００２６】
また、固定プレート２のシリンダバレル１１側に貫通させたボールねじ軸２０ａ、２１ａ端部、及び、固定プレート２に配置された射出モータ３１、３２の出力軸間にボールねじ軸回転伝達手段３１ａ、３２ａが配置され、ボールねじ軸２０ａ、２１ａが回転駆動される。第１実施形態においては、ボールねじ軸回転伝達手段３１ａ、３２ａを、ボールねじ軸２０ａ、２１ａ端部、及び、射出モータ３１、３２の出力軸に配置させたプーリ及び両プーリ間を連結させるベルトの組み合わせとしたが、これに限定されず、公知の回転伝達手段が採用されても良い。さらに、図１において、図示される構成の重複を回避するため、射出モータ３１、３２が固定プレート２の上方の両端に配置されるように図示したが、射出モータ３１、３２は、固定プレート２の上方の中央に並べて配置されても良いし、固定プレート２の上方ではなく、固定プレート２に貫通させるように配置されても良い。
【００２７】
そして、本発明の第１実施形態に係る２プレート式射出装置１０は、軸を中心として回転可能な状態で移動プレート３にスクリュ４を支持するための構成を備えている。これを図２も参照しながら説明する。
【００２８】
まずはスクリュ回転支持軸４４である。スクリュ回転支持軸４４は、スクリュ４の後端部を脱着可能に収納するスクリュ軸収納部４２と、スクリュ軸収納部４１の後方に連続してスクリュ軸収納部４１の外径よりも小径に構成される回転支持軸部４３とを有している。次に、スクリュ回転支持軸４４を移動プレート３に対して回転可能に支持する回転支持部材４５である。
【００２９】
これらスクリュ回転支持軸４４及び回転支持部材４５が、移動プレート３を前後に貫通する回転支持部材収納貫通孔４６に収納されると共に、移動プレート３の後方の、回転支持部材収納貫通孔４６の開口部に、回転支持部材収納貫通孔４６内における、回転支持部材４５の、スクリュ４の軸方向の移動を抑制するリテーナ４７が同軸配置される。本発明の２プレート式射出装置は、このリテーナ４７がリングタイプロードセルとして構成される点が特徴である。
【００３０】
上記の構造をもう少し詳細に説明する。スクリュ回転支持軸４４の前方のスクリュ軸収納部４２には、スクリュ４の後端部が軸方向に挿入・引き抜きが可能に、且つ、スクリュ４をスクリュ回転支持軸４４に対して回転不能に収納される。このような構成により、スクリュ４及びスクリュ回転支持軸４４は任意に脱着が可能で、且つ、同軸上で一体化させることができる。第１実施形態では、スクリュ４の後端部外周面、及びスクリュ軸収納部４２の内周面が、相対的な回転を防止するスプライン構造を成すものとしたが、これに限定されず、キーによる相対的な回転防止構成等、公知の構成が採用されれば良い。また、第１実施形態では、スクリュ軸収納部４２に軸方向に挿入されたスクリュ４の後端部は、スクリュ軸収納部４２の前端面に固定可能な割カラー４２ａによりスクリュ回転支持軸４４に固定され、スクリュ４及びスクリュ回転支持軸４４の軸方向の相対移動が拘束される。これも、スクリュ４及びスクリュ回転支持軸４４の軸方向の相対移動が拘束可能な公知の構成が採用されれば良い。
【００３１】
また、スクリュ回転支持軸４４のスクリュ軸収納部４２の後方に連続して形成される、スクリュ軸収納部４２の外径よりも小径な回転支持軸部４３には、これよりも外径の大きなスクリュ軸収納部４２との段差部を前端として、スラストベアリング及びラジアルベアリングの組み合わせで構成される回転支持部材４５が挿入される。第１実施形態では、回転支持部材４５が、前方から、外径が同じ、スラストベアリング４５ａ及びラジアルベアリング４５ｂの２個のベアリングから構成される。しかしながらこれに限定されるものではなく、回転支持軸部４３に挿入される各ベアリングの個数や各ベアリングが挿入される順番は、射出装置の仕様に準じて、適宜選択されれば良い。回転支持部材４５はベアリングナット４３ａでスクリュ回転支持軸４４に締め付け固定される。そのため、回転支持軸部４３の後方外周面には、回転支持部材４５をスクリュ回転支持軸４４に締め付け固定可能な範囲まで、ベアリングナット４３ａに準じた雄ねじ加工が成されている。
【００３２】
そして、スクリュ回転支持軸４４及び回転支持部材４５が、移動プレート３を前後に貫通する回転支持部材収納貫通孔４６に収納される。回転支持部材４５を構成する２つのベアリングの外径を同径とすることにより、回転支持部材収納貫通孔４６も同径の貫通孔加工で良い。すなわち、スクリュ４を回転支持するための移動プレート３への貫通孔加工が、特許文献２の３プレート式射出装置における、段付管状のベアリングリテーナの機械加工や、同ベアリングリテーナを収納するためのプレッシャプレートへの貫通孔加工に対して非常に容易である。
【００３３】
回転支持部材収納貫通孔４６内における回転支持部材４５の前方側は、リング状のベアリング押えプレート４６ａと、ベアリング押さえプレート４６ａを移動プレート３の回転支持部材収納貫通孔４６の前方から固定するベアリング押えリング４６ｂとで位置決めされる。ベアリング押えプレート４６ａの後面内周側が、回転支持部材４５を構成するスラストベアリング４５ａの外輪と面接触する。
【００３４】
一方、回転支持部材収納貫通孔４６内における回転支持部材４５の後方側には、移動プレート３の後方の、回転支持部材収納貫通孔４６の開口部に、回転支持部材収納貫通孔４６内における、回転支持部材４５の、スクリュ４の軸方向の移動を抑制するリテーナ４７が同軸配置される。本発明の２プレート式射出装置は、このリテーナ４７がリングタイプロードセルとして構成される点が特徴であるため、以後、リテーナ４７をリングタイプロードセル４７と呼称する。リングタイプロードセル４７の前面内周側には、回転支持部材４５を構成するラジアルベアリング４５ｂの外輪と面接触する受圧環状突部４７ａが形成されており、受圧環状突部４７ａにより、回転支持部材収納貫通孔４６内における、回転支持部材４５の、スクリュ４の軸方向の移動を抑制する。
【００３５】
尚、回転支持部材収納貫通孔４６の前方や後方には、回転支持部材４５を保護するために、内部への異物侵入を防止するダストシール等が配置されることが好ましい。例えば、回転支持部材収納貫通孔４６の前方においては、ベアリング押えリング４６ｂに、また、後方においては、リングタイプロードセル４７に、ダストシール等が配置されれば良い。図を見易くするため、図１及び図２におけるダストシールの図示は省略している。
【００３６】
また、スクリュ４の軸に回転運動を伝達させるスクリュ軸回転伝達手段４８が、移動プレート３の前方のスクリュ回転支持軸４４に配置される。第１実施形態においては、スクリュ軸回転伝達手段４８を、スクリュ回転支持軸４４のスクリュ軸収納部４２側及び図示しない計量モータ４１の出力軸に配置させたプーリ及び両プーリ間を連結させるベルトの組み合わせとしたが、これに限定されず、公知の回転伝達手段が採用されても良い。計量モータ４１は、スクリュ４を、スクリュ軸回転伝達手段４８を介して回転駆動させることが出来れば、移動プレート３のいずれの位置に配置されても良いが、特に制約が無ければ、スクリュ４の軸の直上が好ましい。図１においては、図示される構成の重複を回避するため、計量モータ４１及び同モータの出力軸のプーリの図示を割愛し、スクリュ回転支持軸４４のスクリュ軸収納部４２側に配置させたプーリ及びベルトの一部のみ図示している。
【００３７】
次に、本発明の第１実施形態に係る２プレート式射出装置１０における、リングタイプロードセル４７による、計量工程における背圧の制御や、射出充填工程における射出圧力の制御に必要な、貯留部の溶融樹脂圧力の計測について説明する。
【００３８】
まず、計量工程においては、貯留部の溶融樹脂容積の増加に伴い、後方への溶融樹脂圧力が作用するスクリュを後退させて、貯留部の溶融樹脂に所定の圧力（背圧）を付与させた状態で、１回の射出充填工程に必要な溶融樹脂を貯留部に貯留させる。
【００３９】
そして、射出充填工程においては、射出モータ３１、３２によりボールねじ軸２０ａ、２１ａを回転駆動させ、ボールねじナット２０ｂ、２１ｂを介して移動プレート３を固定プレート２側へ接近する方向に前進させる。この時、前進するスクリュ４は、シリンダバレル１１の前方のノズル側から貯留部の溶融樹脂を前方（金型）へ押し出す（射出）と共に、その反力（射出圧力）を受ける。この反力はスクリュ４と同軸上で一体化されたスクリュ回転支持軸４４、及び回転支持部材４５を構成するスラストベアリング４５ａ、ラジアルベアリング４５ｂを介して、リングタイプロードセル４７に後方への押圧力を作用させる。この押圧力が、シリンダバレル１１先端の貯留部に貯留される溶融樹脂圧力として計測される。尚、計量工程においても、貯留部に貯留される溶融樹脂圧力により、リングタイプロードセル４７には押圧力が作用する。
【００４０】
このように、本発明の第１実施形態に係る２プレート式射出装置１０においては、スクリュ回転支持軸４４及び回転支持部材４５が、移動プレート３を前後に貫通する回転支持部材収納貫通孔４６に収納されると共に、移動プレート３の後方の、回転支持部材収納貫通孔４６の開口部に、回転支持部材収納貫通孔４６内における、回転支持部材４５の、スクリュ４の軸方向の移動を抑制するリテーナ４７が、リングタイプロードセル４７として構成される。そのため、リングタイプロードセル４７が２プレート式射出装置１０の最後方に配置されるため、スクリュ軸（スクリュ回転支持軸４４）に同軸配置させたリングタイプロードセル４７が容易に脱着できる。
【００４１】
また、回転支持部材４５を構成する２つのベアリングの外径を同径とすることにより、回転支持部材収納貫通孔４６も同径の貫通孔加工で良く、貫通孔加工が非常に容易であるだけでなく、スクリュ４に作用する貯留部の溶融樹脂圧力が、スクリュ４と同軸上で一体化されたスクリュ回転支持軸４４、及び回転支持部材４５を構成する同径のスラストベアリング４５ａ及びラジアルベアリング４５ｂを介して、リングタイプロードセル４７に押圧力を作用させるため、スクリュ４に作用する貯留部の溶融樹脂圧力が分散されることなくリングタイプロードセル４７により正確に計測することができる。
【００４２】
一方、特許文献２の３プレート式射出装置においては、先に説明したように、ベアリングリテーナをプレッシャプレートから取り外すことなく、歪検出器（歪ゲージ）を取り外すことが出来ない。
【００４３】
加えて、外径が異なるスラストベアリング及びラジアルベアリングを収納するベアリングリテーナは、段付管状にならざるを得ず、プレッシャプレート（移動プレート）との、スクリュ軸方向と直交する面接触部が複数形成されるため、ベアリングリテーナに作用して同ベアリングリテーナを歪する、貯留部の溶融樹脂圧力が分散され、溶融樹脂圧力の計測精度が低下する。
【００４４】
また、特許文献１の２プレート式射出装置においては、先に説明したように、移動プレート、及び移動プレートの後方に突出するように立設されるボールねじナットの間にリングタイプロードセルが配置されるため、ボールねじ軸からボールねじナットを取り外すことなく、リングタイプロードセルを移動プレートの後方から取り外すことが出来ず、リングタイプロードセルを移動プレートの後方から取り外したり、新たに取り付けたりする場合、専用の取り外し治具を使用して、ボールねじ軸からボールねじナットを取り外すか、ボールねじ軸及びボールねじナットからなるボールねじ機構一式を射出装置から取り外す必要がある。
【００４５】
ここで、本発明の第１実施形態に係る２プレート式射出装置１０においては、第１実施形態で説明したように、スクリュ４の軸（スクリュ回転支持軸４４）に回転運動を伝達させるスクリュ軸回転伝達手段４８が、移動プレート３の前方に配置されることにより、リングタイプロードセル４７が２プレート式射出装置１０の最後方に配置される形態となり、リングタイプロードセル４７の脱着を容易にしている。一方、図示はしていないが、スクリュ４の軸（スクリュ回転支持軸４４）を移動プレート３の後方に貫通させ、該貫通部にスクリュ軸回転伝達手段４８が配置される形態、すなわち、スクリュ軸回転伝達手段４８が、移動プレート３の後方に配置される形態であっても、スクリュ軸回転伝達手段４８のプーリやベルト等を取り外すことにより、リングタイプロードセル４７の脱着が可能である。この形態の場合、スクリュ軸回転伝達手段４８が、移動プレート３の前方に配置される第１実施形態に対して、リングタイプロードセル４７の脱着の容易性は低下するが、それでも、特許文献２の３プレート式射出装置のように、プレッシャプレート（移動プレート）におけるスクリュの回転支持部全体を分解しなければ歪検出器（歪ゲージ）を取り外すことが出来ない形態に対しては、リングタイプロードセル４７の脱着の容易性が確保される。
【００４６】
以上、発明を実施するための形態について、第１実施形態及び関連する別形態を説明したが、本発明は、上記の実施の形態に限定されることなく、特許請求の範囲に記載された内容を逸脱しない範囲で、色々な形で実施できることは言うまでもない。
【００４７】
例えば、本発明の第１実施形態に係る２プレート式射出装置１０においては、固定プレート２のシリンダバレル１１側に貫通させたボールねじ軸２０ａ、２１ａ端部、及び、固定プレート２に配置された射出モータ３１、３２の出力軸間にボールねじ軸回転伝達手段３１ａ、３２ａが配置され、ボールねじ軸２０ａ、２１ａが回転駆動される形態を説明した。しかしながら、このように、必ずしも、２つのボールねじ軸それぞれが異なる射出モータにより回転駆動される必要はない。図示はしていないが、２つのボールねじ軸が１つの射出モータで回転駆動されるように、射出モータ及びボールねじ軸回転伝達手段が配置されても良いし、２つのボールねじ軸が２つ以上の射出モータを協働させて回転駆動されるように、射出モータ及びボールねじ軸回転伝達手段が配置されても良い。このように、固定プレートにおけるボールねじ軸の回転駆動形態は、２プレート式射出装置に要求される射出能力や、２プレート式射出装置のサイズに応じて、適宜、好適な形態が採用されれば良い。
【００４８】
また、本発明に係る２プレート式射出装置のリングタイプロードセルの配置形態、すなわち、回転支持部材収納貫通孔内における、回転支持部材の、スクリュの軸方向の移動を抑制するリテーナが、リングタイプロードセルとして構成される形態は、特に、移動プレートの後方にリアプレートが配置されない２プレート式射出装置において、スクリュ軸に同軸配置させたリングタイプロードセルの脱着を容易にするという効果を奏する。しかしながら、本発明に係る２プレート式射出装置のリングタイプロードセルの配置形態を３プレート式射出装置に採用しても良い。例えば、図示はしていないが、計量モータが移動プレート側に配置され、固定プレート及びリアプレート間に移動プレート進退機構が配置される３プレート式射出装置であれば、移動プレートを固定プレート側へ前進させることにより、前進させた移動プレート、及びリアプレート間にスペースが確保され、移動プレートの後方に配置させたリングタイプロードセルの脱着が容易である。また、移動プレート及びリアプレート間に移動プレート進退機構が配置される３プレート式射出装置であっても、移動プレート進退機構（プーリやベルト等）が、リングタイプロードセルの後方への脱着の障害とならないように配置されることにより、移動プレートの後方に配置させたリングタイプロードセルの脱着の容易性は確保される。
【符号の説明】
【００４９】
２  固定プレート、３  移動プレート、４  スクリュ、１０  ２プレート式射出装置、１１  シリンダバレル、２０  ボールねじ機構、２０ａ  ボールねじ軸、２０ｂ  ボールねじナット、２１  ボールねじ機構、２１ａ  ボールねじ軸、２１ｂ  ボールねじナット、２４  ボールねじ軸回転支持部、３１  射出モータ、３１ａ  ボールねじ軸回転伝達手段、３２  射出モータ、３２ａ  ボールねじ軸回転伝達手段、４１  計量モータ、４２  スクリュ軸収納部、４２ａ  割カラー、４３  回転支持軸部、４３ａ  ベアリングナット、４４  スクリュ回転支持軸、４５  回転支持部材、４５ａ  スラストベアリング、４５ｂ  ラジアルベアリング、４６  回転支持部材収納貫通孔、４６ａ  ベアリング押えプレート、４６ｂ  ベアリング押えリング、４７  リテーナ（リングタイプロードセル）、４７ａ  受圧環状突部、４８  スクリュ軸回転伝達手段、
【図１】
2020037225.tif 000003
【図２】
2020037225.tif 000004